(57)【特許請求の範囲】
【請求項１】
電動機を内蔵した本体と、本体に設けられたハンドルと、本体に回転可能に取付けられ、電動機により駆動されるのこ刃と、本体下方に回転可能に取付けられのこ刃下部が下面より突出するようにしたベースと、本体に設けられベース上方ののこ刃の本体側側面をほぼ覆うギヤカバーと、ギヤカバーと相対しベース上方ののこ刃の本体反対側側面をほぼ覆うソーカバーとを有し、ベース上面とソーカバー下端の間の全部又は一部に隙間が設けられている携帯用丸のこであって、
ベース上面との間に前記隙間が位置するように、前記ソーカバーに遮蔽板を設け、該遮蔽板は前記ソーカバーから前記のこ刃と離間する方向に突出し、前記のこ刃の側面から見て、前記のこ刃外周と交差するように延びていることを特徴とする携帯用丸のこ。
【請求項２】
電動機を内蔵した本体と、本体に設けられたハンドルと、本体に回転可能に取付けられ、電動機により駆動されるのこ刃と、本体下方に回転可能に取付けられのこ刃下部が下面より突出するようにしたベースと、本体に設けられベース上方ののこ刃の本体側面をほぼ覆うギヤカバーと、ギヤカバーと相対しベース上方ののこ刃の本体反対側面をほぼ覆うソーカバーとを有し、前記ベース上面とソーカバー下端の間の全部または一部に隙間が設けられている携帯用丸のこであって、ベース上面との間に前記隙間が位置するように、前記スライドカバーに遮蔽板を設け、該遮蔽板は前記スライドカバーから前記のこ刃と離間する方向に突出し、前記のこ刃の側面から見て、前記のこ刃外周と交差するように延びていることを特徴とする携帯用丸のこ。
【発明の詳細な説明】
【０００１】
【発明の属する技術分野】
本発明は携帯用集塵丸のこなどの携帯用丸のこに関するものである。
【０００２】
【従来の技術】
携帯用集じん丸のこは、切断時に発生する切粉が飛散しないようにするためにギヤカバーとソーカバーがベース上方ののこ刃のほぼ全体を覆うようにされている。
【０００３】
のこ刃のほぼ全体を覆うことにより切断作業時に発生する切粉がギヤカバーとソーカバーの外に飛散することを防止できる。
【０００４】
しかしながら、このような構成の携帯用集じん丸のこでは、ソーカバーの下端がベース上面と当接あるいは近接しているため、切断作業時に作業者はのこ刃の先端を直接見ることができない。
【０００５】
前記ソーカバーは通常透明な材料で形成されているが、切断時はその内側に切粉が飛散しのこ刃を見ることが困難なので、作業者はやむなしにあらかじめベースにつけられたのこ刃の位置を示す目印を見て作業を行うなどの方法がとられていた。
【０００６】
これに対し作業者が直接のこ刃を確認しながら作業ができる携帯用集じん丸のこの一例を図１０に示す。図１０は従来の携帯用集じん丸のこで切断作業をしている状態の一例を示す要部断面側面図であり、１は電動機を内蔵する本体、２は本体１と一体に設けられたハンドル、３はギヤカバー、４はソーカバー、５は本体１に取付けられたベース、６は本体１に回転可能に取付けられたのこ刃、７はベース５の上面とソーカバー４の下端の隙間、８は作業者の視線、９は切粉の飛散方向、１０は被切断材である。
【０００７】
図に示すように作業者は、ベース５の上面とソーカバー４下端の隙間７からのこ刃６を直接確認しながら作業ができる。
【０００８】
【発明が解決しようとする課題】
上記したようにソーカバー４で極力のこ刃６全体を覆ってしまうと、作業者は作業中に直接のこ刃６を見ることができないためののこ刃６の位置を把握しにくい。しかしこのため刃先の部分の覆いを削除してしまうとその部分から切粉が飛散しひいては作業者にも降りかかり作業の妨げになるという問題があった。
【０００９】
本発明の目的は、上記した従来技術の欠点をなくし、作業時に発生する切粉が飛散して作業者の作業の妨げとなるのを防止すると共に刃先が見やすい携帯用集じん丸のこを提供することである。
【００１０】
【課題を解決するための手段】
上記目的は、ソーカバーの下端部にのこ刃の側面に対しほぼ垂直な遮蔽板を形成することにより達成される。
【００１１】
【発明の実施の形態】
本発明携帯用集じん丸のこの一実施形態を図１〜図４を用いて以下説明する。
【００１２】
図１は本発明携帯用集じん丸のこの一実施形態を示す要部断面側面図、図２は図１に示す携帯用集じん丸のこの正面図、図３は図１に示す携帯用集じん丸のこの上面図、図４は図１に示す携帯用集じん丸のこにおいて切断作業状態を示す要部断面側面図である。
【００１３】
図に示すようにベース５の上面とソーカバー４の下端との間には隙間７が設けられており、ソーカバー４の下端付近には、のこ刃６の側面にほぼ垂直に遮蔽板１１を形成している。
【００１４】
本発明携帯用集じんまるのこにて切断作業を行う場合、通常作業者は図４に示すようにソーカバー４側の本体１側面上方からのこ刃６の刃先を確認しながら切断作業を行う、この切断作業時に発生する切粉の一部がベース５上面とソーカバー４下端の隙間７から漏れ出すが、その飛散方向はソーカバー４下端に設けられた遮蔽板１１に案内されるため、本体１に対しほぼ水平方向にのみ飛散し、本体１に対し上方に舞い上がることはない。
【００１５】
本発明携帯用集じん丸のこの他の実施形態を図５〜図８に示す。
【００１６】
図５は本発明携帯用集じん丸のこの他の実施形態を示す要部断面側面図、図６は図５に示す携帯用集じん丸のこの正面図、図７は図６の携帯用集じん丸のこにおいてスライドカバーを下に移動した際の作業状態を示す要部断面側面図、図８は図５に示す携帯用集じん丸のこの上面図である。
【００１７】
図５〜図８に示す携帯用集じん丸のこは、のこ刃６の前側にギヤカバー３とソーカバー４に対し上下動可能なスライドカバー１２を有しており、作業に応じて上下させて使用することができる。またスライドカバー１２にはのこ刃６の側面に対しほぼ垂直方向に遮蔽板１１が設けられている。
【００１８】
この場合も同様に、切断作業時に発生する切粉の一部がベース５上面とソーカバー４下端の隙間７から漏れ出すがその飛散方向はスライドカバー１２に設けられた遮蔽板１１に案内されるため、ほぼ本体１に対し水平方向にのみ飛散し、本体１に対し上方に舞い上がることはない。
【００１９】
本発明携帯用集じん丸のこの更に他の実施形態を図９に示す。この実施形態はソーカバー４の下端に遮蔽板１１を略コの字形に設けた例である。このような構成とすることによっても上記実施形態と同様の効果を奏し得る。
【００２０】
【発明の効果】
上記したように本発明によれば、ベース上面とソーカバー下端の間に隙間を設け、ソーカバーの下端付近にのこ刃の側面にほぼ垂直に遮蔽板を形成しているので、切断作業中切粉が作業者の方に飛散することがなく直接のこ刃を見ながら作業ができる携帯用丸のこを提供することができるようになる。
【図面の簡単な説明】
【図１】本発明携帯用集じん丸のこの一実施形態を示す図３のＡ−Ａ断面図。
【図２】図１に示す携帯用集じん丸のこの正面図。
【図３】図１に示す携帯用集じん丸のこの上面図。
【図４】図１に示す携帯用集じん丸のこの切断作業状態を示す部分断面図。
【図５】本発明携帯用集じん丸のこの他の実施形態を示す図８のＢ−Ｂ断面図。
【図６】図５に示す携帯用集じん丸のこの正面図
【図７】図５に示す携帯用集じん丸のこのスライドカバーを下方に移動した状態を示す正面図。
【図８】図５に示す携帯用集じん丸のこの上面図。
【図９】本発明携帯用集じん丸のこの更に他の実施形態を示す正面図。
【図１０】従来の携帯用集じん丸のこの一例を示す要部断面側面図。
【符号の説明】
１は本体、２はハンドル、３はギヤカバー、４はソーカバー、５はベース、６はのこ刃、７はベースの上面とソーカバー下端の隙間、１１は遮蔽板、１２はスライドカバー
【図１】
0003731856.tif 000002
【図２】
0003731856.tif 000003
【図３】
0003731856.tif 000004
【図４】
0003731856.tif 000005
【図５】
0003731856.tif 000006
【図６】
0003731856.tif 000007
【図７】
0003731856.tif 000008
【図８】
0003731856.tif 000009
【図９】
0003731856.tif 000010
【図１０】
0003731856.tif 000011